(57)【要約】  物品の利用のための実施形態が含まれる。システムの一実施形態は、物品の第１の実時間ビデオ影像を捕捉する第１の影像捕捉デバイスと、コンピュータアプリケーションを格納するメモリ構成要素とを含む。コンピュータアプリケーションは、第１の実時間ビデオ影像から物品を識別することと、物品に対して実施される動作を識別することと、第１の実時間ビデオ影像の修正版を介して、動作を実施するためのデータを提供することとをシステムに識別させるように構成されてもよい。システムは、第１の実時間ビデオ影像の修正版を表示するための表示デバイスも含んでもよい。
2014510317.tif 000002
【特許請求の範囲】
【請求項１】
物品の利用のためのシステムであって、
前記物品の第１の実時間ビデオ影像を捕捉する第１の影像捕捉デバイスと、
コンピュータアプリケーションを格納するメモリ構成要素であって、前記コンピュータアプリケーションが、少なくとも、
前記第１の実時間ビデオ影像から前記物品を識別することと、
前記物品に対して実施される動作を識別することと、
前記第１の実時間ビデオ影像の修正版を介して、前記動作を実施するためのデータを提供することと、を前記システムに実施させる、メモリ構成要素と、
前記第１の実時間ビデオ影像の前記修正版を表示するための表示デバイスと、
を備えることを特徴とする、システム。
【請求項２】
前記物品に対して実施される前記動作を識別することは、前記動作が、前記物品を処理すること、及び前記物品を使用することのうちの少なくとも１つを含むかどうかを判定することを含む、請求項１に記載のシステム。
【請求項３】
前記コンピュータアプリケーションは、経時的に成功度の追跡を促進するように更に構成されており、前記成功度が、前記物品に関するデータ、前記第１の実時間ビデオ影像に関するデータ、及び前記第１の実時間ビデオ影像の前記修正版に関するデータのうちの少なくとも１つを含む、請求項１に記載のシステム。
【請求項４】
前記動作を実施するためのデータを提供することは、前記動作を実施するための製品を推奨すること、及び前記第１の実時間ビデオ影像の前記修正版を作成するように、前記第１の実時間ビデオ影像を修正することのうちの少なくとも１つを含む、請求項１に記載のシステム。
【請求項５】
前記物品は、人体部分、ペットの体部分、及び非生物体のうちの少なくとも１つを含む、請求項１に記載のシステム。
【請求項６】
前記第１の実時間ビデオ影像を修正することは、前記第１の実時間ビデオ影像の中の前記物品を強調表示すること、前記物品を処理するための指示を提供すること、前記物品を使用するための指示を提供すること、処理が実施された場合の前記物品の予測影像を提供すること、前記物品の取換時間の推奨を提供すること、前記物品の取換ガイドを提供すること、前記物品の推奨寿命が失効する前に前記物品を再注文するオプションを提供すること、及び前記動作を実施するための製品を注文するオプションを提供することのうちの少なくとも１つを含む、請求項１に記載のシステム。
【請求項７】
物品の利用のためのモバイルコンピューティングデバイスであって、
前記物品の第１の実時間ビデオ影像を捕捉する第１の影像捕捉デバイスと、
第１のコンピュータアプリケーションを格納するメモリ構成要素であって、前記第１のコンピュータアプリケーションが、少なくとも、
前記第１の実時間ビデオ影像から前記物品を識別することと、
前記物品に対して実施される動作を識別することと、
修正された第１の実時間ビデオ影像を作成するように、前記第１の実時間ビデオ影像を修正することと、を前記モバイルコンピューティングデバイスに実施させる、メモリ構成要素と、
前記修正された第１の実時間ビデオ影像を表示するための表示デバイスと、を備えることを特徴とする、モバイルコンピューティングデバイス。
【請求項８】
前記物品に対して実施される前記動作を識別することは、前記動作が、前記物品を処理すること、及び前記物品を使用することのうちの少なくとも１つを含むかどうかを判定することを含む、請求項７に記載のモバイルコンピューティングデバイス。
【請求項９】
前記第１のコンピュータアプリケーションは、前記動作を実施するための製品を前記モバイルコンピューティングデバイスに更に推奨させる、請求項７に記載のモバイルコンピューティングデバイス。
【請求項１０】
前記第１の実時間ビデオ影像を修正することは、前記第１の実時間ビデオ影像の中の前記物品を強調表示すること、前記物品を処理するための指示を提供すること、前記物品を使用するための指示を提供すること、処理が実施された場合の前記物品の予測影像を提供すること、及び前記動作を実施するための製品を注文するオプションを提供することのうちの少なくとも１つを含む、請求項７に記載のモバイルコンピューティングデバイス。
【請求項１１】
前記メモリ構成要素は、ユーザーデータの格納を促進する第２のコンピュータアプリケーションを格納し、前記ユーザーデータが、ユーザーの物理的状態、及び前記ユーザーの感情的状態のうちの少なくとも１つに関する情報を含み、前記第２のコンピュータアプリケーションが、前記第１のコンピュータアプリケーションと共に実行されたときに前記ユーザーデータを提供する、請求項７に記載のモバイルコンピューティングデバイス。
【請求項１２】
物品の利用のための非一時的コンピュータ読み取り可能媒体であって、コンピュータによって実行されたときに、少なくとも、
第１の実時間ビデオ影像から前記物品を識別することと、
前記物品に対して実施される動作を識別することと、
修正影像を作成するように、前記第１の実時間ビデオ影像を修正することと、
表示のために前記修正影像を提供することと、
を前記コンピュータに実施させるコンピュータアプリケーションを格納し、
前記修正影像を提供することは、前記動作を実施するためのデータを提供することを含む、非一時的コンピュータ読み取り可能媒体。
【請求項１３】
前記物品に対して実施される前記動作を識別することは、前記動作が、前記物品を処理すること、及び前記物品を使用することのうちの少なくとも１つを含むかどうかを判定することを含む、請求項１２に記載の非一時的コンピュータ読み取り可能媒体。
【請求項１４】
前記動作を実施するためのデータを提供することは、前記動作を実施するための製品を推奨することを含む、請求項１２に記載の非一時的コンピュータ読み取り可能媒体。
【請求項１５】
前記第１の実時間ビデオ影像を修正することは、前記第１の実時間ビデオ影像の中の前記物品を強調表示すること、前記物品を処理するための指示を提供すること、前記物品を使用するための指示を提供すること、処理が実施された場合の前記物品の予測影像を提供すること、及び前記動作を実施するための製品を注文するオプションを提供することのうちの少なくとも１つを含む、請求項１２に記載の非一時的コンピュータ読み取り可能媒体。
【発明の詳細な説明】
【技術分野】
【０００１】
（関連出願の相互参照）
本出願は、米国仮出願第６１／３９４，９３３号（２０１０年１０月２０日に出願）の利益を主張する。
【０００２】
（発明の分野）
本出願は、概して、物品の利用に関し、より具体的には、ビデオ影像からの支援を用いて物品を利用することに関する。
【背景技術】
【０００３】
ユーザーは、オンライン業者等を通して製品の購入に関する知識をますます深める一方、しばしば、ユーザーは、ユーザーの身近にある物品の操作及び／又は処理にもっともふさわしい製品に関する経験がない。例として、ユーザーは、家庭用電気製品を有する場合があるが、家庭用電気製品の適切な操作を確実にするように購入されてもよい製品を知らない場合がある。同様に、物品に問題がある場合、ユーザーは、その問題に適切に対応するためにどの製品が購入されてもよいかを知らない場合がある。ユーザーは、物品の操作に関する情報及び／又は製品のオンライン検索を実施するためにモバイルコンピューティングデバイス（又は他のコンピューティングデバイス）を利用することができるが、適切な情報を検索することは手間のかかるプロセスとなり得る。その上、物品に処理を必要とする問題が発生した場合、ユーザーはここでも、問題の解決策を提供する製品を検索しようとするために、オンライン検索を実施することを強制される場合がある。これもまた、手間のかかるプロセスになり得るため、ユーザーはしばしば、決して問題を解決しない。
【先行技術文献】
【特許文献】
【０００４】
【特許文献１】米国仮出願第６１／３９４，９３３号
【発明の概要】
【課題を解決するための手段】
【０００５】
物品の利用の実施形態が含まれる。システムの一実施形態は、物品の第１の実時間ビデオ影像を捕捉する第１の影像捕捉デバイスと、コンピュータアプリケーションを格納するメモリ構成要素とを含む。コンピュータアプリケーションは、第１の実時間ビデオ影像から物品を識別することと、物品に対して実施される動作を識別することと、第１の実時間ビデオ影像の修正版を介して、動作を実施するためのデータを提供することとをシステムに実施させるように構成されてもよい。システムは、第１の実時間ビデオ影像の修正版を表示するための表示デバイスも含んでもよい。
【０００６】
同様に、物品の利用のためのモバイルコンピューティングデバイスの一実施形態は、物品の第１の実時間ビデオ影像を捕捉する影像捕捉デバイスと、コンピュータアプリケーションを格納するメモリ構成要素とを含む。コンピュータアプリケーションは、第１の実時間ビデオ影像から物品を識別し、物品に対して実施される動作を識別し、第１の実時間ビデオ影像を修正して、修正された第１の実時間ビデオ影像を作成するように構成されてもよい。また、修正された第１の実時間ビデオ影像を表示するための表示デバイスも含まれる。
【０００７】
また、物品の利用のための非一時的コンピュータ読み取り可能な媒体の実施形態も含まれる。非一時的コンピュータ読み取り可能媒体の少なくとも１つの実施形態は、コンピュータによって実行されたときに、第１の実時間ビデオ影像から物品を識別することと、物品に対して実施される動作を識別することと、修正影像を作成するように、第１の実時間ビデオ影像を修正することとをコンピュータに実施させるコンピュータアプリケーションを格納する。いくつかの実施形態において、コンピュータプログラムは表示するための修正影像を提供し、修正影像を提供することは、動作を実施するためのデータを提供することを含む。
【図面の簡単な説明】
【０００８】
本開示の特定の実施形態の以下の詳細説明は、本明細書に含まれる図面と共に読む場合に、もっとも理解することができる。
【図１】本明細書に示され、記載される実施形態に従い、物品の利用のためのシステムを例示するコンピューティング環境。
【図２】本明細書に示され、記載される実施形態に従い、物品の利用のための図１のコンピューティング環境において利用されてもよいモバイルコンピューティングデバイス。
【図３】本明細書に示され、記載される実施形態に従い、物品の利用のためのコンピュータアプリケーションにアクセスするためのインターフェイス。
【図４】本明細書に示され、記載される実施形態に従い、物品利用アプリケーションに関する複数のユーザーオプションを提供するためのインターフェイス。
【図５】本明細書に示され、記載される実施形態に従い、台所の実時間ビデオ影像を提供するためのインターフェイス。
【図６】本明細書に示され、記載される実施形態に従い、図５の冷蔵庫の拡大図を更に示す、修正された実時間ビデオ影像のインターフェイス。
【図７】本明細書に示され、記載される実施形態に従い、洋服ダンスを示す実時間ビデオ影像のインターフェイス。
【図８】本明細書に示され、記載される実施形態に従い、洋服ダンス及びユーザーの修正された実時間ビデオ影像を含む複数のインターフェイス。
【図９】本明細書に示され、記載される実施形態に従い、図８のインターフェイスから、ユーザーが洋服を着用している修正された実時間ビデオ影像のインターフェイス。
【図１０】本明細書に示され、記載される実施形態に従い、浴室を示す実時間ビデオ影像のインターフェイス。
【図１１】本明細書に示され、記載される実施形態に従い、図１０の浴室のシンクの実時間ビデオ影像のインターフェイス。
【図１２】本明細書に示され、記載される実施形態に従い、物品を利用するためのデータを提供するための流れ図。
【図１３】本明細書に示され、記載される実施形態に従い、物品の使用及び処理のための流れ図。
【０００９】
図に示した実施形態は、実例に過ぎず、請求項によって定義される本開示を制限することを意図したものではない。更に、図及び本開示の各特徴は、詳細な説明に照らし合わせれば、より明確になり理解されるであろう。
【発明を実施するための形態】
【００１０】
以下の本文は、本開示の多種多様な実施形態の大まかな説明を示す。この説明は、単に例示的なものとして解釈されるものであり、また、考えられる全ての実施形態を説明することは不可能でないとしても非実用的であるので、考えられる全ての実施形態を説明するものではない。本明細書に記載されるいずれかの機構、特性、構成要素、組成、成分、製品、工程、若しくは方法論は、削除することができ、本明細書に記載される他のいずれかの機構、特性、構成要素、組成、成分、製品、工程、若しくは方法論と組み合わせることができ、又は全体的若しくは部分的に置き換えることができることは理解されるであろう。最新の技術又は本特許の出願日よりも後で開発された技術を用いて、多くの代替的な実施形態を実施することが可能であるが、このような実施形態はやはり「特許請求の範囲」に含まれるものである。本明細書において引用する刊行物及び特許は全て、本明細書に援用するものである。
【００１１】
より具体的には、本明細書に開示される実施形態は、実時間ビデオ影像から物品を識別すること、並びに実時間ビデオ影像の修正版を提供することのための、システム、モバイルコンピューティングデバイス、方法、及び／又は非一時的コンピュータ読み取り可能な媒体として構成されてもよい。いくつかの実施形態において、ユーザーは、１つ以上の物品にカメラ等の影像捕捉デバイスを向けてもよい。物品として、非生物体（電気製品、表面、コンピュータ、家具、備品、消費材等）、人体の部分（皮膚、歯、毛髪、爪、足等）、及び／又はペットの体部分（毛、歯、爪等）を挙げることができる。影像捕捉デバイスは、モバイルコンピューティングデバイスに連結されてもよく、物品の実時間ビデオ影像を捕捉するように構成されてもよい。モバイルコンピューティングデバイスは、影像捕捉デバイスから実時間ビデオ影像を受信することができ、影像から物品を識別してもよい。モバイルコンピューティングデバイスは、識別された物品を強調表示するように、実時間ビデオ影像を修正することができる。加えて、モバイルコンピューティングデバイスは、物品に関して利用情報（使用及び／又は処理情報等）を更に提供することができる。モバイルコンピューティングデバイスはまた、物品を処理する物品及び／又は製品と組み合わせて使用する製品も提供してもよい。
【００１２】
このような製品の例として、家庭用ケア製品、化粧及び身だしなみ製品、並びに医療及び健康製品が挙げられてもよい。家庭用製品のいくつかの例として、Ｐａｍｐｅｒｓ（商標）紙タオル、Ｔｉｄｅ（商標）洗剤、Ｄａｗｎ（商標）石鹸、Ｄｕｒａｃｅｌｌ（商標）電池、Ｍｒ．Ｃｌｅａｎ（商標）掃除製品等が挙げられる。同様に、化粧及び身だしなみ製品のいくつかの例として、Ｏｌａｙ（商標）化粧製品、Ｈｅａｄ  ａｎｄ  Ｓｈｏｕｌｄｅｒｓ（商標）シャンプー、及びＣｏｖｅｒｇｉｒｌ（商標）化粧製品が挙げられる。医療及び健康製品のいくつかの例として、Ｐｒｉｎｇｌｅｓ（商標）ポテトチップ、Ｖｉｃｋｓ（商標）咳止めシロップ剤、Ｔａｍｐａｘ（商標）タンポン、及びＣｒｅｓｔ（商標）歯磨き粉が挙げられる。他の製品及び／又はサービスも本明細書の範囲内に含められる。
【００１３】
例として、いくつかの実施形態において、ユーザーは、影像捕捉デバイスを台所に向けてもよい。影像捕捉デバイスは、台所の実時間ビデオ影像を捕捉し、実時間ビデオ影像をモバイルコンピューティングデバイスへ送信することができる。モバイルコンピューティングデバイスは、実時間ビデオ影像を受信することができ、台所の冷蔵庫を識別してもよい。モバイルコンピューティングデバイスは、識別された冷蔵庫を強調表示するように、実時間ビデオ影像を修正することができる。モバイルコンピューティングデバイスは、冷蔵庫のフィルターの交換に関する情報、冷蔵庫と共に使用する製品（例えば、掃除製品）等、冷蔵庫に対する使用情報を判定してもよい。処理情報等、他の情報も提供されてもよい。処理情報は、冷蔵庫の掃除、機能不良の対応等、冷蔵庫に伴う問題の処理に関する情報を含んでもよい。使用及び処理情報は、実時間ビデオ影像への更なる修正として提供されてもよい。その上、モバイルコンピューティングデバイスは、物品と共に使用される製品及び／又はその物品の処理のための製品を推奨してもよい。
【００１４】
別の例として、いくつかの実施形態において、ユーザーは、影像捕捉デバイスをユーザーの皮膚（又は他の人体部分及び／又はペットの体部分）に向けてもよい。上述の例のように、影像捕捉デバイスは、実時間ビデオ影像をモバイルコンピューティングデバイスへ送信することができ、モバイルコンピューティングデバイスは、次いで、物品として皮膚を識別することができる。モバイルコンピューティングデバイスは、皮膚を強調表示するようにビデオ影像を更に修正することができる。加えて、モバイルデバイスコンピューティングデバイスは、任意の検出された皮膚の状態（乾燥肌、脂性肌、色素沈着、発疹、傷、皮膚の色、しわ、刺青等）に関する処理情報を提供することができる。処理情報は、テキスト指示、ビデオ指示、製品推奨、製品購買オプション等を含んでもよい。加えて、いくつかの実施形態において、ユーザーが処理情報に従う場合、改善の約束がユーザーに提供されてもよい。モバイルコンピューティングデバイスは、処理情報を提供するように、実時間ビデオ影像を更に修正してもよい。
【００１５】
ここで図面を参照すると、図１は、コンピューティング環境を表し、本明細書に示され、記載される実施形態に従い、物品の利用のためのシステムを例示する。図１に示されるように、ネットワーク１００は、インターネット、ローカルエリアネットワーク（ＬＡＮ）、移動通信網、公衆電話網（ＰＳＴＮ）及び／又は他のネットワーク等の広域ネットワークを含んでもよく、モバイルコンピューティングデバイス１０２、ユーザーコンピューティングデバイス１０４、及びリモートコンピューティングデバイス１０６を電気的に結合するように構成されてもよい。
【００１６】
より具体的には、モバイルコンピューティングデバイス１０２は、移動電話、パーソナルデジタルアシスタント、ラップトップコンピュータ、タブレット、及び／又は他のモバイルデバイスを含んでもよい。加えて、モバイルコンピューティングデバイス１０２は、第１の影像捕捉デバイス１０２ａと、第２の影像捕捉デバイス１０２ｂとを含んでもよく、及び／又はこれらに結合されてもよい。第１の影像捕捉デバイス１０２ａは、（破線の円によって指示されるように）モバイルコンピューティングデバイス１０２の裏側に位置付けられてもよく、実時間ビデオ影像、静止像、及び／又は他の影像を捕捉するように構成されてもよい。同様に、第２の影像捕捉デバイス１０２ｂは、第１の影像捕捉デバイス１０２ａの反対側に位置付けられてもよく、また、静止像、実時間ビデオ影像、及び／又は他の影像を捕捉するように構成されてもよい。その上、図１の例は、影像捕捉デバイス１０２ａ、１０２ｂをモバイルコンピューティングデバイス１０２の物理的に一部として図示するが、いくつかの実施形態は、第１の影像捕捉デバイス１０２ａ及び／又は第２の影像捕捉デバイス１０２ｂがモバイルコンピューティングデバイス１０２の外部に所在するように構成されてもよいことを理解されたい。そのような実施形態において、影像捕捉デバイス１０２ａ、１０２ｂは、有線及び／又は無線プロトコルを介して、影像データをモバイルコンピューティングデバイス１０２へ通信してもよい。同様に、図１のモバイルコンピューティングデバイス１０２は一体型表示部を備えて例示されてもよいが、これもまた例に過ぎない。いくつかの実施形態において、表示部は、モバイルコンピューティングデバイスの外部に所在してもよく、有線又は無線プロトコルを介して、モバイルコンピューティングデバイス１０２と通信してもよい。
【００１７】
モバイルコンピューティングデバイス１０２の中には、物品利用アプリケーション１４４も含まれ、これは、物品識別及び追跡論理１４４ａ、製品選択論理１４４ｂ、並びに実時間影像描画及び修正論理１４４ｃを含む。以下に詳細を記載するように、物品利用及び追跡論理１４４ａは、影像データ（実時間ビデオ影像等）を受信し、受信された影像データから、少なくとも１つの物品を識別するように構成されてもよい。加えて、物品識別及び追跡論理１４４ａは、物品又はモバイルコンピューティングデバイス１０２の運動に関係なく、影像内の識別された物品の場所を追跡するように構成されてもよい。同様に、製品選択論理１４４ｂは、モバイルコンピューティングデバイス１０２に、識別された物品と共に使用されてもよい製品及び／又は識別された物品を処理するために使用されてもよい製品を判定及び／又は推奨させるように構成されてもよい。同様に、実時間ビデオ描画及び修正論理１４４ｃは、以下に詳細を記載するように、表示するために実時間ビデオ影像を描画し、並びに結像を修正するように構成されてもよい。
【００１８】
図１には、ユーザーコンピューティングデバイス１０４も図示される。より具体的には、ユーザーコンピューティングデバイス１０４は、ネットワーク１００を介して、モバイルコンピューティングデバイス１０２と通信するように構成されてもよい。いくつかの実施形態では、モバイルコンピューティングデバイス１０２は、バックアップのために、格納されたデータをユーザーコンピューティングデバイス１０４へ送信してもよい。同様に、いくつかの実施形態では、ユーザーは、ユーザーコンピューティングデバイス１０４上で１つ以上の優先選択（好みの製品、アレルギー等）を行ってもよい。このデータは、モバイルコンピューティングデバイス１０２によって行われる判定の精度を向上させるように、モバイルコンピューティングデバイス１０２へ送信されてもよい。
【００１９】
同様に、リモートコンピューティングデバイス１０６もまた、ネットワーク１００に結合されてもよく、モバイルコンピューティングデバイス１０２の性能を更に向上させるように、ユーザーの成功度（物品に関して、実時間ビデオ影像に対する、及び／又は実時間ビデオ影像の修正版に対する等）を追跡するために、使用データ、統計、購買等を受信するように、モバイルコンピューティングデバイス１０２（及び／又はユーザーコンピューティングデバイス１０４）と通信するように構成されてもよい。
【００２０】
モバイルコンピューティングデバイス１０２、ユーザーコンピューティングデバイス１０４、及びリモートコンピューティングデバイス１０６は、ＰＤＡ、パーソナルコンピュータ、及び／又はサーバーとして表されるが、これらは例に過ぎないことを理解されたい。より具体的には、いくつかの実施形態において、任意の種類のコンピューティングデバイス（例えば、モバイルコンピューティングデバイス、パーソナルコンピュータ、サーバー等）がこれらの構成要素のいずれかに利用されてもよい。加えて、これらのコンピューティングデバイスの各々は、図１では、単一のハードウェアとして図示されるが、これもまた例である。より具体的には、コンピューティングデバイス１０２〜１０６の各々は、複数のコンピュータ、サーバー、データベース等を表してもよい。
【００２１】
図２は、本明細書に示され、記載される実施形態に従い、物品の利用のための図１のコンピューティング環境において利用されてもよい、モバイルコンピューティングデバイスを表す。図示された実施形態では、モバイルコンピューティングデバイス１０２は、プロセッサ２３２と、入力／出力ハードウェア２３０と、ネットワークインターフェイスハードウェア２３４と、データ格納構成要素２３６（ユーザーデータ、製品データ、及び／又は他のデータを格納する）と、メモリ構成要素２４０とを含む。メモリ構成要素２４０は、揮発性及び／又は不揮発性メモリ等として構成されてもよく、ランダムアクセスメモリ（ＳＲＡＭ、ＤＲＡＭ、及び／又は他の種類のＲＡＭを含む）、フラッシュメモリ、セキュアデジタル（ＳＤ）メモリ、レジスタ、コンパクト・ディスク（ＣＤ）、デジタル多用途ディスク（ＤＶＤ）、及び／又は他の種類の非一時的コンピュータ読み取り可能媒体を含んでもよい。特定の実施形態に応じて、これらの非一時的コンピュータ読み取り可能媒体は、モバイルコンピューティングデバイス１０２内部、及び／又はモバイルコンピューティングデバイス１０２の外部に所在してもよい。
【００２２】
加えて、メモリ構成要素２４０は、操作論理２４２及び物品利用アプリケーション１４４を格納するように構成されてもよい。物品利用アプリケーション１４４は、複数の異なる論理を含んでもよく、そのうちのいくつかは、物品識別及び追跡論理１４４ａと、製品選択論理１４４ｂと、実時間ビデオ影像描画及び修正論理１４４ｃとを含み、これらの各々は、例として、コンピュータプログラム、ファームウェア、及び／又はハードウェアとして具現化されてもよい。ローカルインターフェイス２４６は、図２にも含まれ、モバイルコンピューティングデバイス１０２の構成要素の間の通信を促進するように、バス又は他のインターフェイスとして実装されてもよい。
【００２３】
プロセッサ２３２は、（データ格納構成要素２３６及び／又はメモリ構成要素２４０等から）命令を受信し、実行するように、任意の処理構成要素を含んでもよい。入力／出力ハードウェア２３０は、モニタ、キーボード、マウス、プリンタ、影像捕捉デバイス、マイクロホン、スピーカー、ジャイロスコープ、コンパス、位置決めシステム、並びに／又はデータを受信、送信、及び／若しくは提示するための他のデバイスを含み、及び／又はこれらとインターフェイスするように構成されてもよい。ネットワークインターフェイスハードウェア２３４は、アンテナ、モデム、ＬＡＮポート、ワイヤレスフィディリティ（Ｗｉ−Ｆｉ）カード、ＷｉＭａｘカード、移動通信ハードウェア、並びに／又は他のネットワーク及び／若しくはデバイスと通信するための他のハードウェアを含む任意の有線又は無線ネットワークハードウェアを含み、及び／又はこれらと通信するために構成されてもよい。この接続から、モバイルコンピューティングデバイス１０２と他のコンピューティングデバイスとの間の通信が促進されてもよい。同様に、データ格納構成要素２３６は、モバイルコンピューティングデバイス１０２にローカル及び／又はリモートに所在してもよく、モバイルコンピューティングデバイス１０２及び／又は他の構成要素がアクセスするための１つ以上のデータを格納するように構成されてもよい。
【００２４】
メモリ構成要素２４０には、操作論理２４２と、物品利用アプリケーション１４４とが含まれる。操作論理２４２は、モバイルコンピューティングデバイス１０２の構成要素を管理するためのオペレーティングシステム、及び／又は他のソフトウェアを含んでもよい。同様に、上述のように、物品利用アプリケーション１４４は、メモリ構成要素２４０の中に所在してもよく、受信された実時間ビデオ影像から物品を識別することと、物品を処理及び／又は使用するための潜在的な製品を判定することと、潜在的な製品が実時間ビデオ影像にあるかどうかに基づいて、実時間ビデオ影像を修正することとをプロセッサ２３２に実施させるように構成されてもよい。他の機能性も含まれ、以下に詳細を記載する。
【００２５】
図２に図示される構成要素は、例示に過ぎず、本開示の範囲を制限することを意図しないことを理解されたい。図２の構成要素は、モバイルコンピューティングデバイス１０２内部に所在すると図示されるが、これは例に過ぎない。いくつかの実施形態において、構成要素のうちの１つ以上は、モバイルコンピューティングデバイス１０２の外部に所在してもよい。また、図１及び図２のモバイルコンピューティングデバイス１０２は、単一のデバイスとして図示されるが、これもまた例に過ぎないことも理解されたい。いくつかの実施形態において、製品識別及び追跡機能性、製品選択機能性、並びに実時間ビデオ影像描画及び修正機能性は、異なるデバイス上に所在してもよい。
【００２６】
また、モバイルコンピューティングデバイス１０２は、物品利用アプリケーション１４４の内部に、物品識別及び追跡論理１４４ａ、製品選択論理１４４ｂ、並びに実時間ビデオ影像描画及び修正論理１４４ｃを含めて図示されるが、これも例であることを理解されたい。より具体的には、いくつかの実施形態において、単一の論理が、記載の機能性を実施してもよい。同様に、いくつかの実施形態において、この機能性は、複数の異なる論理に分散されてもよく、これらは、モバイルコンピューティングデバイス１０２及び／又は他のどこかに所在してもよい。加えて、１つのアプリケーションだけがメモリ構成要素２４０によって格納されると図示されるが、他のアプリケーションもメモリ構成要素に格納され、モバイルコンピューティングデバイス１０２によって利用されてもよい。
【００２７】
図３は、本明細書に示され、記載される実施形態に従い、物品利用アプリケーション１４４にアクセスするためのインターフェイス３０２を表す。図示されるように、モバイルコンピューティングデバイス１０２は、（例えば、操作論理１４２を介して）インターフェイス３０２を提供するように構成される。インターフェイス３０２は、モバイルコンピューティングデバイス１０２及び／又は他の場所に格納される１つ以上のコンピュータアプリケーションへのアクセスをユーザーに提供するように構成されてもよい。図示されるように、モバイルコンピューティングデバイス１０２は、連絡先アプリケーション、設定アプリケーション、カメラアプリケーション、マップアプリケーション、カレンダーアプリケーション、クロックアプリケーション、及び物品利用アプリケーション１４４へアクセスするオプションを含み、提供してもよい。図示されるように、物品利用アプリケーション１４４は、物品利用オプション３０４を選択することによってアクセスされてもよい。他のアプリケーションへのアクセスもまた提供されてもよい。
【００２８】
図２のモバイルコンピューティングデバイス１０２は、物品利用アプリケーション１４４をメモリ構成要素２４０に格納された唯一のアプリケーションとして図示するが、これは例に過ぎないことを理解されたい。より具体的には、上述のように、物品利用アプリケーション１４４は、図３のコンピュータアプリケーションによって提供されるような、追加の機能性を提供してもよい。
【００２９】
図４は、本明細書に示され、記載される実施形態に従い、物品利用アプリケーションに関する複数のユーザーオプションを提供するためのインターフェイス４０２である。図示されるように、インターフェイス４０２は、「物品使用」オプション４０４及び「物品処理」オプション４０６を提供してもよい。以下に詳細を記載するように、物品使用オプション４０４を選択することによって、モバイルコンピューティングデバイス１０２は、台所用電気製品の使用、着用する洋服の選択等、物品を使用するためのオプションを提供してもよい。同様に、物品処理オプション４０６を選択することによって、モバイルコンピューティングデバイス１０２は、表面の掃除、汚れの処理、物品の修理、化粧、毛髪の色の変更、肌色の変更、肌の手入れ等、物品を処理するためのオプションを提供してもよい。
【００３０】
図５は、本明細書に示され、記載される実施形態に従い、台所の実時間ビデオ影像を提供するためのインターフェイス５０２を表す。図示されるように、図４から、物品使用オプション４０４を選択することに応答して、モバイルコンピューティングデバイス１０２は、第１の影像捕捉デバイス１０２ａから実時間ビデオ影像の受信を開始することができる。図５の実施形態において、第１の影像捕捉デバイス１０２ａは、台所の実時間ビデオ影像を捕捉している。加えて、本明細書に記載のように、モバイルコンピューティングデバイス１０２は、実時間ビデオ影像から、１つ以上の物品を識別することができる。図５の物品は、冷蔵庫５０４と、オーブン５０６と、電子レンジ５０８と、台所シンク５１０とを含む。モバイルコンピューティングデバイス１０２は、バーチャル破線ボックスを用いて図示されるように、識別された物品を強調表示することによって、実時間ビデオ影像を修正することができる。加えて、ユーザーが第１の影像捕捉デバイス１０２ａの位置を変更することができるので、実時間ビデオ影像の中の物品の位置も変化してもよい。結果的に、モバイルコンピューティングデバイス１０２は、この運動にもかかわらず識別された物品を追跡するように、コンパス及び／又はジャイロスコープを更に利用してもよい。
【００３１】
図５の実施形態は、実時間ビデオ影像が、識別された物品のうちの１つ以上の周囲の輪郭によって修正されてもよいことを図示するが、これは例に過ぎないことを理解されたい。より具体的には、実時間ビデオ影像で、識別された物品を強調表示し、及び／又は非物品の可視性を削減するように、非物品のグレイアウト、物品にバーチャル矢印を向ける、物品の色の変更等を含む、実時間ビデオ影像の任意の修正が利用されてもよい。
【００３２】
また、いくつかの実施形態において、モバイルコンピューティングデバイス１０２は、ユーザーからの入力なく、実時間ビデオ影像に存在する物品に関連する製品を自動的に判定するように構成されてもよいことも理解されたい。例として、モバイルコンピューティングデバイス１０２は、皿洗い用洗剤、オーブンクリーナー、滅菌用拭き取り製品、消臭製品、電子レンジ食品等を推奨し、これらの製品に関する追加情報を表示するオプションを選択し、並びに購入オプション等も提供することができる。
【００３３】
図６は、本明細書に示され、記載される実施形態に従い、図５の冷蔵庫５０４の拡大図を更に示す、修正された実時間ビデオ影像のインターフェイス６０２を表す。図示されるように、ユーザーが図５から冷蔵庫５０４を選択することに応答して、モバイルコンピューティングデバイス１０２は、物品の格納された影像にアクセスすること等によって、拡大機能を介して、選択された物品の拡大版を提供することができる。加えて、選択された物品の使用情報を提供するように、１つ以上のオプションが含まれてもよい。より具体的には、ユーザーガイドオプション６０４及びフィルター取換オプション６０６が提供されてもよい。ユーザーガイドオプション６０４を選択することによって、モバイルコンピューティングデバイス１０２は、選択された物品と関連付けられているユーザーガイドの電子版にアクセスしてもよい。ユーザーガイドは、ローカルに格納されてもよく、及び／又はリモートコンピューティングデバイス１０６からアクセスされてもよい。
【００３４】
加えて、いくつかの実施形態において、モバイルコンピューティングデバイス１０２が冷蔵庫５０４を物品として識別すると、モバイルコンピューティングデバイス１０２は、適切なユーザーガイドを検索するために、冷蔵庫５０４の製造元及び／又はモデルも識別してもよい。そのような識別は、バーコード、無線周波数識別子（ＲＦＩＤ）、及び／又は他の標識等、物品に添付された標識を利用して実施されてもよい。同様に、モバイルコンピューティングデバイス１０２のいくつかの実施形態は、その代わりに、物品の形状、寸法、及び他の特徴を分析することによって、標識を使用しないプロセスを介して、物品を識別するように構成されてもよい。
【００３５】
同様に、フィルター取換オプション６０６を選択することによって、モバイルコンピューティングデバイス１０２は、冷蔵庫５０４上のフィルターを取り換えるための指示をユーザーに提供してもよい。その上、モバイルコンピューティングデバイス１０２は、この特定の冷蔵庫５０４のフィルターを販売する業者を判定し、フィルターを購入するオプションを提供してもよい。なおいくつかの実施形態は、物品と共に使用する製品を推奨するように構成されてもよい。例として、図５及び６では、モバイルコンピューティングデバイス１０２は、特定のブランドの重曹が、冷蔵庫５０４の消臭のために使用される場合があると判定してもよく、この製品をユーザーに推奨してもよい。オンライン購入、及び／又は電子ショッピングリストに含めるオプションもまた提供されてもよい。
【００３６】
図５及び６に関して記載される実施形態は、台所用電気製品を参照するが、これらは例に過ぎないことを理解されたい。いくつかの実施形態において、人体部分、ペットの体部分、及び／又は別の非生物体が物品として識別されてもよい。例として、ユーザーは、影像捕捉デバイス１０２ａ及び／又は１０２ｂを介して、ユーザーの毛髪の影像を捕捉する場合がある。モバイルコンピューティングデバイス１０２は、毛髪を物品として識別し、影像の修正版を介して、櫛通り、編組、及び／ないしは別の方法で毛髪を使用することに関する情報を提供することができる。
【００３７】
同様な使用情報は、他の非生物体のために提供されてもよい。例として、物品は、「１ヶ月に１回」の便器クリーナーであってもよい。そのような実施形態において、便器クリーナーが物品として認識された後、モバイルコンピューティングデバイス１０２は、物品を便器に装着する方法、便器クリーナーを定置するトイレ内の場所を示し、交換する頻度を説明するように、実時間ビデオ影像を修正することができる。モバイルコンピューティングデバイス１０２はまた、推奨された期間が経過すると、便器クリーナーを交換するようにユーザーに促すように構成されてもよい。
【００３８】
非生物体のその他の例として、冷蔵庫内部の水フィルター及び乾燥機内部の埃フィルターが挙げられる。いずれかのフィルターが物品として識別されると、モバイルコンピューティングデバイス１０２は、フィルターを交換及び／又は掃除するプロセスを示すための取換ガイドを示すように、実時間ビデオ影像の修正版を提供することができる。同様に、モバイルコンピューティングデバイスは、フィルターの取換時間推奨を提供する、フィルターの掃除時間推奨を提供する、及び／又は所定の期間が経過した後、フィルターを交換するようにユーザーを促すように構成されてもよい。同様に、モバイルコンピューティングデバイス１０２は、期間が経過すると取換フィルターを購入するようにユーザーに提案するように構成されてもよい。同様に、いくつかの実施形態において、モバイルコンピューティングデバイスは、予測されるフィルター寿命に到達する前の所定時間に、電子ショッピングリストにフィルターを自動的に含めてもよい。更にいくつかの実施形態において、モバイルコンピューティングデバイス１０２は、物品の推奨寿命が失効する前に、物品を再注文するオプションを提供することができる。
【００３９】
同様に、いくつかの実施形態において、モバイルコンピューティングデバイス１０２は、物品が使用される様式を判定し、その使用にカスタマイズされた製品を推奨することができる。例として、製品が洗濯機である場合、モバイルコンピューティングデバイス１０２は、ユーザーが冷水サイクルを利用していると判定することができる。この判定は、ユーザー入力から、洗濯機との通信から、及び／又は他の機構を介して、行うことができる。いずれにせよ、冷水サイクルが利用されていると判定した上で、第１の影像捕捉デバイス１０２ａが洗濯機に向けられると、冷水用洗剤の推奨がユーザーに提供されてもよい。ユーザーはまた、製品をショッピングリストに追加するオプション、及び／又は直ちに購入するオプションが提供されてもよい。
【００４０】
図７は、本明細書に示され、記載される実施形態に従い、洋服ダンスを示す実時間ビデオ影像のインターフェイス７０２を表す。図示されるように、図４から、物品使用オプション４０４を選択し、第１の影像捕捉デバイス１０２ａを洋服ダンスに向けることに応答して、インターフェイス７０２が提供されてもよい。より具体的には、モバイルコンピューティングデバイス１０２は、所望される物品７０４を含む複数の物品を識別し（物品の色を識別することを含む）、実時間ビデオ影像内の物品を強調表示することができる。所望される物品７０４の選択に応答して、モバイルコンピューティングデバイス１０２は、図９に図示されるように、インターフェイスを提供することができる。また、２方式影像オプション７０６も含まれる。２方式影像オプション７０６を選択することによって、図８に図示されるように、インターフェイスを提供することができる。
【００４１】
図８は、本明細書に示され、記載される実施形態に従い、洋服ダンス及びユーザーの修正された実時間ビデオ影像を含む複数のインターフェイス８０２、８０４を表す。図示されるように、２方式影像オプション７０６の選択に応答して、モバイルコンピューティングデバイス１０２は、第１の影像捕捉デバイス１０２ａから、並びに第２の影像捕捉デバイス１０２ｂから影像データを受信し、それぞれ、第１のインターフェイス８０２及び第２のインターフェイス８０４に結像を提供することができる。加えて、所望される物品７０４の選択に応答して、図９に図示されるようなインターフェイスが提供されてもよい。
【００４２】
図９は、本明細書に示され、記載される実施形態に従い、図８のインターフェイスから、ユーザーが洋服を着用している修正された実時間ビデオ影像のインターフェイス９０２を表す。図示されるように、図７及び８から、所望される物品７０４の選択に応答して、モバイルコンピューティングデバイス１０２は、インターフェイス９０２を提供することができる。インターフェイス９０２は、第２の影像捕捉デバイス１０２ｂから受信された影像の修正版を含んでもよい。より具体的には、第２の影像捕捉デバイス１０２ｂは、（第２のインターフェイス８０４に図示されるように）ユーザーの影像を捕捉してもよい。加えて、物品７０４の影像は、ユーザーが物品の外観を判定できるように、ユーザーの影像に重なり合わされてもよい。
【００４３】
いくつかの実施形態において、モバイルコンピューティングデバイス１０２は、物品を識別し、その識別から、物品の格納された結像にアクセスすることができることを理解されたい。格納された結像は、その後、ユーザーの影像を適応させるように修正されてから、次いで、ユーザーの影像に重ね合わせられてもよい。同様に、いくつかの実施形態において、ユーザーの影像は、実時間ビデオ影像である。そのような実施形態において、モバイルコンピューティングデバイス１０２は、ユーザーの運動に対応するように、物品の影像を更に修正することができる。
【００４４】
インターフェイス９０２には、推奨オプション９０４、及び２方式影像オプション９０６もまた含まれる。より具体的には、推奨オプション９０４は、ユーザーが試用（及び／又は購入）する推奨製品を提供するように構成されてもよい。例として、モバイルコンピューティングデバイス１０２は、適切な製品を判定するために、環境条件（季節、場所、天候、温度、湿度、高度等）、ユーザーのカレンダー、及び／又は他の情報を判定することができる。その上、いくつかの実施形態において、モバイルコンピューティングデバイス１０２は、製品推奨を更にカスタマイズするために、１つ以上の質問をユーザーにプロンプト表示することができる。提案された製品は、次いで、モバイルコンピューティングデバイス１０２上の電子ショッピングリストに入れられてもよい。加えて、推奨された物品が現在ユーザーによって所有されていない場合、モバイルコンピューティングデバイス１０２は、推奨された物品を購入するオプションを提供することができる。加えて、２方式影像オプション９０６を選択することによって、ユーザーに、図８の第１のインターフェイス８０２を提供することができる。
【００４５】
同様に、１つ以上の提案された物品を推奨する際、モバイルコンピューティングデバイスは、ユーザーの現在の物理的状態、ユーザーの現在の感情状態、及び／又は他のデータを判定してもよい。ユーザーの物理的及び／又は感情状態は、物品利用アプリケーション１４４によって、及び／又は別のコンピュータアプリケーションを介して、判定されてもよい。同様に、いくつかの実施形態において、モバイルコンピューティングデバイス１０２は、質問を介して、体温、カレンダーデータ、環境データ等を介して、そのような状態を判定することができる。
【００４６】
図７〜９に関して記載される実施形態は、洋服の物品を参照するが、これは例に過ぎないことを理解されたい。いくつかの実施形態において、物品は、その他、人体部分、ペットの体部分、及び／又は非生物体を含んでもよい。そのような物品の例として、電気製品、デバイス、備品（シンク、トイレ、鏡、照明具、下水設備、浴槽、シャワー等）、床材（カーペット、タイル、木、リノリウム、コンクリート、マット等）、調理台、及び他の硬い表面（フォーマイカ、御影石、磁器、ガラス、プラスチック等）、洋服（シャツ、ズボン、ドレス、下着、外衣、靴、ソックス等）が挙げられる。同様に、物品として、毛髪、皮膚、歯、指の爪、足の爪、臀部等が挙げられる。
【００４７】
追加の例として、ユーザーには、メークオーバーオプションが提供されてもよい。そのような実施形態において、モバイルコンピューティングデバイス１０２は、複数のメークアップ製品（口紅、アイシャドウ等）の実時間ビデオ影像、並びにユーザーの顔の影像を受信してもよい。加えて、モバイルコンピューティングデバイス１０２は、メークオーバーの理由に関する情報を受信してもよい（例えば、パーティ、ビジネス会議、スポーツイベント等）。この情報を用いて、モバイルコンピューティングデバイス１０２は、ユーザーの顔を物品として識別し、複数の製品のうちどれを使用するかを判定し、こられの物品を利用する方法に関する情報を提供し、メークオーバーを完了することになる製品のオプションを提供することができる。同様に、いくつかの実施形態において、ユーザーは、単一の影像捕捉デバイス（ユーザーの顔が物品であることを示す）のみを使用してもよい。かかる実施形態において、モバイルコンピューティングデバイス１０２は、次いで、メークオーバーを完了するための製品（例えば、口紅、アイシャドウ等）を推奨することができる。
【００４８】
図１０は、本明細書に示され、記載される実施形態に従い、浴室を示す実時間ビデオ影像のインターフェイス１００２を表す。図示されるように、インターフェイス１００２は、図４の物品処理オプション４０６の選択、及び第１の影像捕捉デバイス１０２ａを浴室に向けることに応答して提供されてもよい。より具体的には、モバイルコンピューティングデバイス１０２は、第１の影像捕捉デバイス１０２ａから実時間ビデオ影像を受信し、実時間ビデオ影像の１つ以上の物品を識別することができる。加えて、モバイルコンピューティングデバイス１０２は、識別された物品のうちの１つ以上を強調表示することができる。図１０の例では、識別された物品は、磁器トイレ１００４、磁器シンク１００６、セラミック浴槽１００８、及び床１０１０を含む。
【００４９】
図１１は、本明細書に示され、記載される実施形態に従い、図１０の浴室のシンクの実時間ビデオ影像のインターフェイス１１０２を表す。図示されるように、シンク１００６は、シンク上の汚れ１１０４を示すように拡大される。図１０及び／又は１１の影像から、モバイルコンピューティングデバイス１０２は、物品（この場合、シンク）、物品の材料（この場合、磁器）、及び汚れの性質（この場合、石鹸かす）を識別することができる。この情報を用いて、モバイルコンピューティングデバイス１０２は、物品を処理するための製品（この場合、クリーナー１１０６）を判定し、ユーザーが判定された製品を使用する場合に予想される皮膚の影像を示すために、実時間ビデオ影像を修正することができる。
【００５０】
加えて、モバイルコンピューティングデバイス１０２は、汚れを除去するプロセスに関する情報、クリーナー１１０６の利用に関する指示、及び／又は他のデータを提供するように、実時間ビデオ影像を修正することができる。より具体的には、この情報は、図１１のシンク１００６を選択することに応答して提供されてもよい。そのような実施形態において、実時間ビデオ影像は、物品を処理するための製品を判定するために利用された情報のテキストオーバーレイを提供するように修正されてもよい。同様に、クリーナー１１０６を選択することによって、モバイルコンピューティングデバイス１０２は、製品に関する使用指示、製品指示、購入指示、購入オプション等を提供するように、実時間ビデオ影像を更に修正することができる。
【００５１】
モバイルコンピューティングデバイス１０２は、製品推奨を自動的に作成するように構成されてもよいが、いくつかの実施形態において、モバイルコンピューティングデバイス１０２は、ユーザー体験を更にカスタマイズするように、質問をユーザーにプロンプト表示してもよい。図１１の例のように、いくつかの実施形態では、モバイルコンピューティングデバイス１０２は、カスタム製品推奨を更に提供するように、ユーザーが特定のブランドのクリーナー、特定の種類のクリーナー（ジェル剤、スプレー剤、粉末剤等）を好むかどうか、及び／又は他の情報に関して、ユーザーにプロンプト表示することができる。加えて、いくつかの実施形態において、モバイルコンピューティングデバイス１０２は、これらの判定を行うために、電子ショッピングカートにアクセス、及び／又は過去の選択を判定するように構成されてもよい。
【００５２】
加えて、いくつかの実施形態において、モバイルコンピューティングデバイス１０２は、物品の機能不良を判定することができる。図１１を例として再び参照すると、蛇口が液だれしている場合、モバイルコンピューティングデバイス１０２は、液だれを識別するように構成されてもよい。液だれを識別することに応答して、モバイルコンピューティングデバイス１０２は、液だれしている蛇口を強調表示するように、実時間ビデオ影像を修正することができる。モバイルコンピューティングデバイス１０２は、加えて、液だれしている蛇口を修理するための指示及び／又は製品を提供することができる。かかる情報は、テキスト指示、ビデオ指示、オンライン購入オプション、配管工の連絡先情報等を含んでもよい。
【００５３】
図１０及び１１に関して記載される実施形態は、処理のための物品として、浴室の備品を識別したが、これらは例に過ぎないことを理解されたい。より具体的には、いくつかの実施形態において、人体部分、ペットの体部分、及び／又は他の非生物体が物品として識別されてもよい。例として、物品がユーザーの歯である場合、ユーザーは、歯の影像を捕捉するために、第１の影像捕捉デバイス１０２ａ及び／又は第２の影像捕捉デバイス１０２ｂを使用してもよい。モバイルコンピューティングデバイス１０２は、次いで、歯磨き、ホワイトニング、フロス、及び／ないしは他の方法で歯を処理するためのオプションを提供するように影像を修正することができる。同様に、処理のために識別され得る他の物品として、電気製品、デバイス、備品（シンク、トイレ、鏡、照明具、下水設備、浴槽、シャワー等）、床材（カーペット、タイル、木、リノリウム、コンクリート、マット等）、調理台及び他の硬い表面（フォーマイカ、御影石、磁器、ガラス、プラスチック等）、洋服（シャツ、ズボン、ドレス、下着、外衣、靴、ソックス等）、並びに毛髪、皮膚、歯、指の爪、足の爪、臀部等の体の部分が挙げられる。
【００５４】
いくつかの実施形態において、モバイルコンピューティングデバイス１０２は、物品の影像データを格納するように構成されても良いことも理解されたい。例として図１１を再び参照すると、シンクの影像は、ユーザーが推奨された製品を適用した後も格納されてもよく、ユーザーは、影像捕捉デバイス１０２ａを処理したシンクに向けてもよい。新しい影像データを用いて、モバイルコンピューティングデバイス１０２は、改善を判定、及び／又は表示することができる。加えて、モバイルコンピューティングデバイス１０２は、処理が成功したかどうかを判定することができ、成功しなかった場合は、次の処理の指示、問題を処理する他の製品等を提供することができる。
【００５５】
図１２は、本明細書に示され、記載される実施形態に従い、物品を利用するためのデータを提供するための流れ図を表す。ブロック１２５０に図示されるように、物品の実時間ビデオ影像を受信することができる。上述のように、物品は、非生物体、人体部分、ペットの体部分等を含んでもよい。加えて、ブロック１２５２で、実時間ビデオ影像から物品を識別することができる。ブロック１２５４で、物品に実施される動作を判定することができる。また、上述のように、動作は、処理オプション及び／又は使用オプションを含んでもよい。ブロック１２５６で、実時間ビデオ影像の修正版を介して、動作を実施するためのデータを提供することができる。加えて、製品情報及び製品購入オプションもまた提供されてもよい。
【００５６】
図１３は、本明細書に示され、記載される実施形態に従い、物品の使用及び処理のための流れ図である。ブロック１３５０に図示されるように、ユーザーが、物品処理又は物品使用に関するデータを所望するかどうかの判定を行うことができる。物品使用が所望されるという判定に応答して、ブロック１３５２で、少なくとも１つの物品を含む実時間ビデオ影像が受信されてもよい。ブロック１３５４で、実時間ビデオ影像から、少なくとも１つの物品が識別されてもよい。ブロック１３５６で、識別された少なくとも１つの物品を強調表示するように、実時間ビデオ影像が修正されてもよい。ブロック１３５８で、少なくとも１つの物品の使用データは、修正された実時間ビデオ影像の一部として提供されてもよい。加えて、製品情報及び製品購入オプションもまた提供されてもよい。
【００５７】
加えて、ブロック１３５０に戻ると、物品処理が所望されるという判定が行われた場合、ブロック１３６０で、少なくとも１つの物品を含む実時間ビデオ影像が受信されてもよい。ブロック１３６２で、実時間ビデオ影像から、少なくとも１つの物品を識別することができる。ブロック１３６４で、少なくとも１つの物品を強調表示するように、実時間ビデオ影像を修正することができる。ブロック１３６６で、少なくとも１つの物品に伴う少なくとも１つの問題が判定されてもよい。ブロック１３６８で、問題を処理するための製品が判定されてもよい。ブロック１３７０で、製品に関するデータが、修正された実時間ビデオ影像を介して提供されてもよい。加えて、製品情報及び製品購入オプションもまた提供されてもよい。
【００５８】
また、「本明細書に使用されるように、『＿＿＿』という用語は．．．を意味するようにここで定義される」という文又は同様な文を使用して本明細書において用語が明示的に定義されない限り、その平易又は通常の意味を超えて、明示的又は暗示的いずれかで、その用語の意味を制限する意図は全くないことを理解されたく、更に、当該用語は、（請求項の言語を除き）本明細書のいずれの項においても記載のいずれの文に基づいて範囲を制限されると解釈されるべきではない。いずれの用語も、本開示不可欠なものとして記載されていない限りは、本開示に不可欠なものではないことが意図される。本特許の最後にある請求項に記載されているいずれかの用語が、ある単一の意味と一致した形で本特許内で言及されている限りにおいては、読み手を混乱させないように、単に分かりやすくする目的だけのためにそうしているのであって、暗示又はその他の方法によって、請求項の用語をその１つの意味に限定することは意図していない。最後に、請求項の要素が、いかなる構造の詳述も伴わずに、その語の「意味」及び機能を詳述することによって定義されるものでない限り、請求項の要素の範囲が、米国特許法第１１２条第６段落の適用に基づいて解釈されることは意図しない。
【００５９】
相互参照されるか又は関連する全ての特許又は特許出願を含む、本願に引用される全ての文書を、特に除外又は限定することを明言しないかぎりにおいて、その全容にわたって本願に援用するものである。いずれの文献の引用も、こうした文献が本願で開示又は特許請求される全ての発明に対する先行技術であることを容認するものではなく、あるいは、こうした文献が、単独で、又は他の全ての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中でその用語に与えられる意味又は定義が優先するものとする。
【００６０】
特定の実施形態について説明し記載したが、本開示の趣旨及び範囲から逸脱することなく他の様々な変更及び修正が可能であることが当業者には理解される。したがって、本開示の範囲内にあるそのような全ての変更及び修正を、添付の特許請求の範囲で扱うものとする。
【図１】
2014510317.tif 000003
【図２】
2014510317.tif 000004
【図３】
2014510317.tif 000005
【図４】
2014510317.tif 000006
【図５】
2014510317.tif 000007
【図６】
2014510317.tif 000008
【図７】
2014510317.tif 000009
【図８】
2014510317.tif 000010
【図９】
2014510317.tif 000011
【図１０】
2014510317.tif 000012
【図１１】
2014510317.tif 000013
【図１２】
2014510317.tif 000014
【図１３】
2014510317.tif 000015